(57)【要約】      （修正有）【課題】角度調整機構の移動速度を緩和させ、天板が支持体へ急速接近することを防ぐことができる天板傾斜角度調整機構付き机を提供する。【解決手段】支持体と、天板と、角度調整機構とを備える。角度調整機構は、両端部４００，４０１を含み、且つ両端部４００，４０１間が互いに伸縮可能な入れ子管構成となっている角度調整器４０と、角度調整器４０の入れ子管構成が伸縮する際、その伸縮の速度を緩和させ、天板の支持体への急速接近を防止可能になっている緩衝器４１とを備える。【選択図】図５
0003154356.tif 000002
【実用新案登録請求の範囲】
【請求項１】
支持体と、
その一端縁側が前記支持体の一端縁側に対して回動可能に枢支され、その他端縁側が前記回動により前記支持体の他端縁側に接近又は離間することにより、前記支持体に対する傾斜角度が変更できる天板と、
その両端部が互いに近接又は離間することにより移動可能で、且つこの移動途中における複数位置のいずれかに仮固定され得るように構成され、前記両端部のうち一端部が前記天板に接続すると共にその他端部が前記支持体に接続し、前記移動及び仮固定とにより前記天板を回動させ、且つ段階的に仮固定し、前記天板の前記支持体に対する傾斜角度を変更可能にする角度調整機構と、からなる天板傾斜角度調整機構付き机において、
前記角度調整機構は、前記両端部を含み、且つ該両端部間が互いに伸縮可能な入れ子管構成となっている角度調整器と、前記角度調整器の入れ子管構成が伸縮する際、その伸縮の速度を緩和させ、前記天板の前記支持体への急速接近を防止可能になっている緩衝器とを備えていることを特徴とする天板傾斜角度調整機構付き机。
【請求項２】
前記角度調整器は、外管と、その一部が前記外管の一端から内部に摺動可能に挿入し、且つ前記外管に対し伸縮可能に構成されている内摺動材と、前記外管内に前記内摺動材をリリース可能に係止することができるように配置構成されている係止機構と、からなることを特徴とする請求項１に記載の天板傾斜角度調整機構付き机。
【請求項３】
前記緩衝器は、その両端部間が互いに伸縮可能な入れ子管構成となっていて、その一端部が前記天板に接続すると共に他端部が前記支持体に接続し、前記角度調整器と並列になっていることを特徴とする請求項２に記載の天板傾斜角度調整機構付き机。
【請求項４】
前記緩衝器は、その両端部間が互いに伸縮可能な入れ子管構成となっていて、前記外管内における前記支持体側に前記角度調整器の前記内摺動材と直列になるように配置され、且つその一端部が前記内摺動材に接続すると共に他端部が前記外管に接続していることを特徴とする請求項２に記載の天板傾斜角度調整機構付き机。
【請求項５】
前記角度調整器の外管は、前記支持体の一部になっていることを特徴とする請求項４に記載の天板傾斜角度調整機構付き机。
【請求項６】
前記支持体は、複数の脚が付設され、
前記角度調整器の外管は、前記複数の脚のうちの一本の脚を構成し、且つ前記緩衝器は、該一本の脚を構成する前記支持体の一部として配置されていることを特徴とする請求項５に記載の天板傾斜角度調整機構付き机。
【請求項７】
前記天板の前記支持体への接近により人体のいずれかの部位を挟むことを防ぐための安全機構を更に備えており、
該安全機構において、その一端の重量が他端より重く、前記一端が通常下方に垂れると共に他端が上方へ突出し、前記支持体へ近接する前記天板を前記支持体と密接しないように下から支えることができ、
前記他端が前記天板を支えている位置からずれると、前記天板はその自重で前記支持体に密接するように降りることができるように軸支されていることを特徴とする請求項１〜６のいずれか１項に記載の天板傾斜角度調整機構付き机。
【請求項８】
前記安全機構は、重量が異なる両端を有するＬ形体でなり、
その重量の重い前記一端は、前記Ｌ形体の二辺における一辺の端部に錘機能を持たせ、その重量の軽い他端は、前記Ｌ形体の二辺における他辺の端部に、該他辺の延伸方向から前記一辺の延伸方向と反対方向となる方向に湾曲するようになっていることを特徴とする請求項７に記載の天板傾斜角度調整機構付き机。
【考案の詳細な説明】
【技術分野】
【０００１】
本考案は、天板傾斜角度調整機構付き机に関する。
【背景技術】
【０００２】
天板傾斜角度調整機構付き机とは、その天板の傾斜角度が自在に調整できる机をいう。このような机は一般的に、図１３及び図１４に示すように支持体６と、天板７と、天板傾斜角度調整機構（以下、角度調整機構と略称する）８と、枢支機構９と、からなっている。
図示のように天板７は、枢支機構９により、その一端縁側７００が支持体６の一端縁側６００に対して回動できるように枢支されていて、その他端縁側７０１がこの回動により支持体６の他端縁側６０１に接近したり離間したりし、支持体６に対する傾斜角度が変更できる。
【０００３】
角度調整機構８は、二端部８００，８０１が互いに近接したり離間したりして移動することができる入れ子管構成となり、且つ係止機構としてのラチェット機構８０６により該入れ子管構成はその移動途中における複数位置のいずれかに係止され、仮固定されることができるように構成されている。またその二端部８００，８０１における一端部８００は天板７に接続し、他端部８０１は支持体６に接続している。このようにして移動と仮固定とにより天板７を回動させ、段階的に仮固定し、天板７の支持体６に対する傾斜角度を変更することができる。
【０００４】
なお、そのラチェット機構８０６は通常、その角度調整機構に特別な作業を施さなければ、その二端部８００，８０１の入れ子管構成による近接運動が制限され、離間運動のみが可能になるようになっている。
即ち、天板７の支持体６に対する傾斜角度を大きくしようとする場合、天板７の他端縁７０１を支持体６の他端縁６０１の方から上げ、即ち枢支機構９により支持体６の一端縁６００に対して回動できるようになっている一端縁７００を中心に、天板７を任意の角度まで上へ回動させれば良い。この傾斜角度を上げる動作は、二端部８００、８０１を互いに離間させる動作であり、ラチェット機構８０６に制限されない動作であるので、簡単に行われ得る。この動作が済むと、天板７がその自重により反対方向である下へと落ちる。これは、二端部８００，８０１を互いに近接させる動作であり、ラチェット機構８０６に制限される動作であるので、食い止められて仮固定され得る。
【０００５】
そして、天板７の支持体６に対する傾斜角度を小さくしようとする場合、ラチェット機構８０６に制限されるため、天板７の他端縁７０１を支持体６の他端縁６０１の方へ直接に下げるのではなく、まず天板７を、角度上げ動作により最高位置まで上げてラチェット機構８０６をリリースしてから下の任意の角度よりやや小さい角度又は最小の角度まで下げ、それに続いて再度、角度上げ動作をし、任意の角度まで上げて係止させる一連の特別な作業をすることで、初めて完成することができる。
【０００６】
従来の天板傾斜角度調整機構付き机はその角度調整機構８が、近接運動が制限されるラチェット機構８０６から構成されているため、特別な作業が行われなければ、その角度が下がることはないので、天板の不意な落下が防止され、ある程度の安全を図れる。
【考案の概要】
【考案が解決しようとする課題】
【０００７】
しかしながら、特別な作業自体、即ち天板７を最高限まで上げることと、下の任意の角度よりやや小さい角度又は最小の角度まで下げることと、再度天板を任意の角度まで上げることとの三つの動作による過程において、第二の下の任意の角度よりやや小さい角度又は最小の角度まで下げる際、天板７の自重により滑り落ちる可能性がある。一旦そのような事態が発生すれば、そのままでは天板７が支持体６へ急速的に接近し、使用者の指先などを挟んでしまうおそれもある。
【０００８】
かかる問題点を解消するために本考案は、その角度調整機構の移動速度を緩和させ、天板が支持体へ急速接近することを防ぐことができる天板傾斜角度調整機構付き机を提供することを目的とする。
【課題を解決するための手段】
【０００９】
この目的を達成するために本考案は、支持体と、その一端縁側が前記支持体の一端縁側に対して回動可能に枢支され、その他端縁側が前記回動により前記支持体の他端縁側に接近又は離間することにより、前記支持体に対する傾斜角度が変更できる天板と、その両端部が互いに近接又は離間することにより移動可能で、且つこの移動途中における複数位置のいずれかに仮固定され得るように構成され、前記両端部のうち一端部が前記天板に接続すると共にその他端部が前記支持体に接続し、前記移動及び仮固定とにより前記天板を回動させ、且つ段階的に仮固定し、前記天板の前記支持体に対する傾斜角度を変更可能にする角度調整機構と、からなる天板傾斜角度調整機構付き机において、
前記角度調整機構は、前記両端部を含み、且つ該両端部間が互いに伸縮可能な入れ子管構成となっている角度調整器と、前記角度調整器の入れ子管構成が伸縮する際、その伸縮の速度を緩和させ、前記天板の前記支持体への急速接近を防止可能になっている緩衝器とを備えている天板傾斜角度調整機構付き机を提供する。
前記角度調整機構には、前記角度調整器をその入れ子管構成による伸縮の途中における複数位置のいずれかに仮固定するために、通常、係止機構が設けられている。この係止機構は、ラチェット機構を採用しても、他のリリース可能な係止機構を採用しても良いが、本考案の実施形態では、比較の便利を図るために、既に説明したようなラチェット機構を採用した例とする。
【考案の効果】
【００１０】
上記構成による天板傾斜角度調整機構付き机はその角度調整機構において、角度調整器の入れ子管構成による伸縮の速度を緩和させ、天板の支持体への急速接近を防ぐことができる緩衝器を更に備えている。これにより天板の傾斜角度の調整に指先などを怪我したりすることを避けることができる。
【図面の簡単な説明】
【００１１】
【図１】本考案の第１の実施形態の天板傾斜角度調整機構付き机を示す上面図である。
【図２】図１の天板傾斜角度調整機構付き机の側面図である。
【図３】図２の天板傾斜角度調整機構付き机における角度調整機構を示す部分拡大図である。
【図４】図２の天板傾斜角度調整機構付き机における、角度調整機構の二端部の距離が最大限にされた状態を示す側面図である。
【図５】図４の天板傾斜角度調整機構付き机における角度調整機構を示す部分拡大図である。
【図６】図２の天板傾斜角度調整機構付き机における安全機構を示す部分拡大図である。
【図７】図６の安全機構の通常状態を示す側面図である。
【図８】本考案の第２の実施形態の天板傾斜角度調整機構付き机を示す側面図である。
【図９】図８の天板傾斜角度調整機構付き机における角度調整機構を示す部分拡大図である。
【図１０】図８の天板傾斜角度調整機構付き机における天板が支持体に対する最大傾斜角度とする状態を示す側面図である。
【図１１】図１０の天板傾斜角度調整機構付き机における角度調整機構を示す部分拡大図である。
【図１２】本考案の第３の実施形態の天板傾斜角度調整機構付き机を示す側面図である。
【図１３】従来の天板傾斜角度調整機構付き机の側面を示す側面図である。
【図１４】図１３の天板傾斜角度調整機構付き机の上面を示す上面図である。
【考案を実施するための形態】
【００１２】
以下、本考案の天板傾斜角度調整機構付き机の好適な実施の形態を説明する。なお、以下の説明において、類似の部分には同一符号をつける。
先ず、本考案の第１の実施形態による天板傾斜角度調整機構付き机を説明する。図１〜図７に示したように、本考案の第１の実施形態による天板傾斜角度調整機構付き机は主として、支持体１と、天板２と、枢支機構３と、角度調整機構４と、からなっている。
【００１３】
支持体１は、互いに平行するように配置されている左右両上梁１０，１０と、左右両上梁１０，１０をそれぞれ下から支持している左右両脚部１２，１２と、左右両脚部１２、１２を接続している横梁１１と、左右両脚部１２、１２を支持している左右台座１３，１３と、を備えている。
【００１４】
天板２は、本体部２０と延長部２１とからなり、両方とも支持体１における左右両上梁１０，１０の上面に搭載されており、本体部２０は使用者に近い側にあって支持体１に対して傾斜角度が変更できるようになっており、延長部２１は使用者から遠い側にあって常にほぼ水平面になるように固定されている。
【００１５】
図示において更に詳しくは、天板２における本体部２０は、その使用者に近い一端縁側２００が、枢支機構３により回動できるように、支持体１の一端縁側１００にある左右両上梁１０，１０の間に枢支されている。そして、その使用者に遠い他端縁側２０１が、回動により支持体１の他端縁側１０１の方（即ち、延長部２１に近い方）にある左右両上梁１０に接近したり離間したりして、支持体１に対する傾斜角度が変更できるようになっている。そして、この天板２における本体部２０は、枢支機構３によって回動して、その他端縁２０１が支持体１における左右両上梁１０と最も近接になる上、支持体１の上に重なることができる。また、本体部２０は支持体１の上に重なると、延長部２１と少々間隔２２が空く状態で、その上面が延長部２１の水平面と一致する面になり、ほぼ水平面となることができる。
【００１６】
そして、枢支機構３は、それぞれ軸孔３０１が開けてある左右両軸受３０で、左右両軸手段３１を受ける構成となっている。左右両軸受３０は図示のように、本体部２０の一端縁側２００における本体部２０の底面において左右両上梁１０，１０と隣接する位置にそれぞれ設置されている。また、左右両軸手段３１は、支持体１の一端縁側１００にある左右両上梁１０，１０に形成されている。
【００１７】
角度調整機構４は角度調整器４０と、緩衝器４１と、を備えている。角度調整器４０及び緩衝器４１はいずれも、左右一基ずつ対称的に設けてあるが、全く同じものなので、以下、片側にあるもののみを例として説明する。
まず、角度調整器４０は、机全体の左右における一側に配置されている上、その二端部（両端部）４００，４０１が互いに近接したり離間したりして移動することができ、且つこの移動の途中における複数位置のいずれかに仮固定されることができるように構成されている。また、二端部４００，４０１における一端部４００は、天板２の本体部２０における他端縁側２０１に接続し、他端部４０１は、支持体１の横梁１１に接続している。それにより本実施形態の天板傾斜角度調整機構付き机は、角度調整器４０の二端部４００，４０１の移動と仮固定とにより、本体部２０を回動してから段階的に仮固定することで、本体部２０の支持体１に対する傾斜角度を変更することができる。
【００１８】
具体的には角度調整器４０は図示のように、二端部４００，４０１がその二端部となり、且つ該二端部４００，４０１の間は互いに伸縮できる入れ子管構成となっている。即ち外管４０４と、その一部が外管４０４の一端から内部４０４０に摺動可能に挿入しており、且つ外管４０４に対し伸縮できるように構成されている内摺動材４０５と、外管４０４の内部４０４０に内摺動材４０５をリリース可能に係止し、仮固定することができるように配置構成されている係止機構４０６と、からなっている。
【００１９】
この実施形態の天板傾斜角度調整機構付き机における係止機構４０６としては、ラチェット機構が使用されている。この係止機構４０６としてのラチェット機構は、従来例におけるラチェット機構８０６と同じように、その角度調整機構に特別な作業が行わなければ、その二端部４００，４０１は、その入れ子管構成による近接運動が制限され、ただ離間運動のみが可能になるようになっている。
【００２０】
詳細には、係止機構４０６としてのラチェット機構は図示のように、外管４０４の表面に該外管の長手方向に沿って形成されている案内溝４０８と、案内溝４０８の一側に沿って一連に形成されている複数のラチェットノッチ４０２と、案内溝４０８に挿入するように、内摺動材４０５の表面に形成されているラチェット爪４０７と、からなっている。
【００２１】
外管４０４の表面にある案内溝４０８の一側に沿って形成されている複数のラチェットノッチ４０２はいずれも、内摺動材４０５の離間運動をする際の方向に傾いて開口しており、内摺動材４０５の表面に形成されているラチェット爪４０７は、常に案内溝４０８の、複数のラチェットノッチ４０２を有する一側へ付勢される。これにより内摺動材４０５が離間運動をする際、複数のラチェットノッチ４０２を一つずつ乗り越え、近接運動をすると、近接方向にある一番近いラチェットノッチ４０２に入って引っ掛かり、仮固定されることができるように構成されている。
【００２２】
なお、案内溝４０８の両端近くは図示のように、いずれもラチェットノッチ４０２が設けられておらず、且つラチェット爪４０７がこの両端近くのいずれに入ると、ラチェットノッチ４０２による係止からリリースする。このためラチェット爪４０７は、いずれかのラチェットノッチ４０２に引っ掛けられないように、この両端近くの間に自由に移されることができる。この係止機構４０６としてのラチェット機構は、前述した従来例のラチェット機構８０６と全く同じなので、以下、その作用の説明を省略する。
【００２３】
そして、緩衝器４１は、角度調整器４０の入れ子管構成が伸縮する際、その伸縮の速度を緩和させ、天板２の支持体１への急速接近を防ぐことができるようになっているものであれば良い。その例としては、油圧緩衝器、空圧緩衝器、ばね式緩衝器等が挙げられる。本実施形態における緩衝器４１は、二端部４１０，４１１を有し、且つ二端部４１０，４１１の間は互いに伸縮できる入れ子管構成となっている油圧緩衝器であって、その一端４１０が天板２の本体部２０における他端縁側２０１に接続し、他端４１１が支持体１の横梁１１に接続し、角度調整器４０と並列になっている。
【００２４】
本考案における角度調整機構４は、角度調整器４０の他に前述の緩衝器４１を備えているため、ラチェット爪４０７が近接運動において急速に角度調整器４０における二端部４００，４０１が最短の距離（天板２の本体部２０が最低限まで下げられること）までに戻されても、あるいは自重により落ちても、天板２の本体部２０は、緩衝器４１により緩衝されて、その支持体１への急速接近で使用者の指先などを挟んで怪我することを防ぐことができる。
【００２５】
この実施形態の天板傾斜角度調整機構付き机にはまた、他の安全機構５が設けてある。安全機構５も、天板２の支持体１への接近によって人体のどこか（例えば、指先）を挟むことを避けるための装置である。安全機構５は図示のように、重量が異なる二端５１,５２を有するＬ形体５０になり、且つ左上梁１０に設置されている軸受３０と隣接するように左上梁１０に軸支されている。重量のより重い一端５１は、通常下方に垂れ、Ｌ形体５０の二辺５０１,５０２における一辺５０１の端部に錘の役割を果たすものがついている。重量のより軽い他端５２は、Ｌ形体５０の二辺５０１,５０２における他辺５０２の端部に、一辺５０１の延伸方向と反対方向に他辺５０２の延伸方向から湾曲するようになっている。
【００２６】
また、重量のより軽い他端５２は、通常上方へ突出し、支持体１へ近接する天板２を支持体１と密接させないように、下から支えることができる。これにより角度調整機構４の緩衝器４１と同様に、使用者の指先などを怪我したりすることを防ぐことができる。そしてまた、安全機構５全体の回転操作により、他端５２が天板１を支えている位置からずれると、天板２はその自重で支持体１に密接するように降りることができる。
【００２７】
次に本考案の第２の実施形態の天板傾斜角度調整機構付き机を説明する。
第２の実施形態の天板傾斜角度調整機構付き机は図８〜図１１に示したように、支持体１と、天板２と、枢支機構３と、角度調整機構４とからなっている。本実施形態における天板２、枢支機構３は、第１の実施形態と同様なので、ここではそれらに関する詳細な説明を省略する。
【００２８】
その支持体１は、横梁が設けられていないものであって、その脚部１２は第１の実施形態と同様に、左右それぞれ一基ずつ設けられており、いずれも前後両脚１２０，１２１と、前後両脚１２０，１２１の間の空間を遮蔽する上、前後両脚１２０，１２１を補強するように構成されている側板１２２とからなっている。
【００２９】
また、図示のように後脚１２１は、その上端が天板２における延長部２１の下にある上梁１０の下面に固定されていて、下から上梁１０を介して延長部２１を支持している。前脚１２０は、その上端が上梁１０を摺動可能になるように天板２における本体部２０の下面に接続されていて、下から本体部２０を支持している。更に、この実施形態における前脚１２０は、上梁１０及び本体部２０を支える脚の役割だけでなく、左右角度調整器４０の外管４０４の役割をも伴っている。
【００３０】
なお、この実施形態における角度調整機構４の第１の実施形態の角度調整機構４と異なる点は、まず、案内溝４０８と、一連となっている複数のラチェットノッチ４０２とが、内摺動材４０５の一部に形成されていることと、ラチェット爪４０７が外管４０４の内壁に設置されていることと、緩衝器４１が外管４０４を伴っている前脚１２０の内部に内摺動材４０５と直列になるように配置され、且つその一端４１０が内摺動材４０５に接続し、他端４１１が外管４０４に接続していることとの三点にある外、他の構造も作用も第１の実施形態における角度調整機構４と全く同様であるので、その詳細な説明を省略する。
【００３１】
次に本考案の第３の実施形態の天板傾斜角度調整機構付き机を説明する。
図１２に示したように、第３の実施形態の天板傾斜角度調整機構付き机において、緩衝器４１は、内摺動材４０５と直列にならず、その一端４１０が天板２の本体部２０に接続し、他端４１１が支持体１に接続すること以外、他の構成は全て第２の実施形態の天板傾斜角度調整機構付き机と同様である。
【産業上の利用可能性】
【００３２】
上述したように本考案の天板傾斜角度調整機構付き机は、その角度調整機構が、角度調整器の伸縮の速度を緩和させ、前記天板の前記支持体への急速接近を防ぐことができる緩衝器を更に備えているので、天板の傾斜角度の調整に指先などを挟んで怪我をしたりすることを防ぐことができ、安全性等において極めて有利である。
【符号の説明】
【００３３】
１  支持体、１０  上梁、１００  支持体の一端縁側、１０１  支持体の他端縁側、１１  横梁、１２  脚部、１２０,１２１  前後両脚、１３  台座、２  天板、２０  本体部、２００  本体部の一端縁側、２０１  本体部の他端縁側、２１  延長部、２２  間隔、３  枢支機構、３０１  軸孔、３０  軸受、３１  軸手段、４  角度調整機構、４０  角度調整器、４００,４０１  角度調整器の二端部、４０２  ラチェットノッチ、４０４  外管、４０４０  外管の内部、４０５  内摺動材、４０６  係止機構、４０７  ラチェット爪、４１  緩衝器、４１０,４１１  緩衝器の二端部、５  安全機構、５１,５２  安全機構の二端、５０  Ｌ形体、５０１,５０２  Ｌ形体の二辺、６  支持体、６００  支持体の一端縁側、６０１  支持体の他端縁側、７  天板、７００  天板の一端縁側、７０１  天板の他端縁側、８  角度調整機構、８００,８０１  角度調整機構の二端部、８０６  係止機構、９  枢支機構。
【図１】
0003154356.tif 000003
【図２】
0003154356.tif 000004
【図３】
0003154356.tif 000005
【図４】
0003154356.tif 000006
【図５】
0003154356.tif 000007
【図６】
0003154356.tif 000008
【図７】
0003154356.tif 000009
【図８】
0003154356.tif 000010
【図９】
0003154356.tif 000011
【図１０】
0003154356.tif 000012
【図１１】
0003154356.tif 000013
【図１２】
0003154356.tif 000014
【図１３】
0003154356.tif 000015
【図１４】
0003154356.tif 000016